(57)【要約】【課題】  液改質材により飲料ボトル内の液又は飲料ボトルに注入される液を改質する以外にも、他の用途に適用することができ、簡素な構成によって飲用済みの飲料ボトル及びボトルキャップの再利用効率を高め、資源の有効活用に資することのできる飲料ボトル用開口アタッチメントと、それを用いた飲料ボトルを提供する。【解決手段】  ペットボトルＢ中に茶葉Ｔを投入し、水中に浸漬する。所定時間後に、ペットボトルＢの雄ねじ部ＢＳにアタッチメント１０の雌ねじ部２を螺合し、ペットボトルＢを傾けると、ペットボトルＢ中のお茶は、貫通孔３１ａ，メッシュ部３２等を通り、開口形成円筒部４から流出する。ペットボトルＢ中の茶殻ＴＬは、貫通孔３１ａ，メッシュ部３２で捕獲されて外部への流出を阻止される。茶葉Ｔから抽出されたお茶が、アタッチメント１０の開口形成円筒部４から飲用され、茶殻ＴＬはペットボトルＢ内に留まって外部へ流出しない。【選択図】  図７
2011195198.tif 000002
【特許請求の範囲】
【請求項１】
ペットボトル等の飲料ボトルの上部に開口として形成された開口円筒部に着脱可能に装着される飲料ボトル用開口アタッチメントであって、
前記飲料ボトルの開口円筒部の外周面に形成された雄ねじ部に螺合する雌ねじ部が内周面に形成された雌ねじ付き円筒部と、
その雌ねじ付き円筒部と一体的に、かつ該雌ねじ付き円筒部の雌ねじ部が前記開口円筒部の雄ねじ部に螺合することを許容する形態で形成され、液体の流通を許容しつつ一定以上の大きさの固体の流通を阻止する本体部と、
前記雌ねじ付円筒部からこれと同心的かつ一体的に外向きに突出し、前記飲料ボトルのボトルキャップ又は専用のキャップが螺合される雄ねじ部が外周面に形成された開口形成円筒部と、
を備え、
（１）前記飲料ボトルの開口円筒部に螺合された状態で、該飲料ボトルの液中に浸漬された茶葉等の抽出用食品の残渣が該液とともに該飲料ボトル外へ流出しようとする際に前記本体部で前記残渣を捕獲して外部への流出を阻止するとともに該液の流出を許容し、
（２）もしくは前記本体部内に隔離・収容された茶葉等の抽出用食品の成分が該飲料ボトルの液中に抽出され、
（３）あるいは前記飲料ボトル内の液又は該ボトルに注入される液の改質のための液改質材が前記本体部内に隔離・収容され、その液改質材を触れつつ前記飲料ボトルに液が注入され又は液が流出することを特徴とする飲料ボトル用開口アタッチメント。
【請求項２】
ペットボトル等の飲料ボトルの上部に開口として形成された開口円筒部に着脱可能に装着される飲料ボトル用開口アタッチメントであって、
前記飲料ボトルの開口円筒部の外周面に形成された雄ねじ部に螺合する雌ねじ部が内周面に形成された雌ねじ付き円筒部と、
その雌ねじ付き円筒部からこれと同心的かつ一体的に、しかも該雌ねじ付き円筒部の雌ねじ部が前記開口円筒部の雄ねじ部に螺合した状態で該開口円筒部の内側に位置する外周面を有して前記飲料ボトルの内部に向かって延び、内外間において液体の進入を許容しつつ一定以上の大きさの固体の通過を阻止する本体部と、
前記雌ねじ付円筒部からこれと同心的かつ一体的に、前記本体部とは反対へ突出し、前記飲料ボトルのボトルキャップ又は専用のキャップが螺合される雄ねじ部が外周面に形成された開口形成円筒部と、
を備え、
（１）前記飲料ボトルの開口円筒部に螺合された状態で、該飲料ボトルの液中に浸漬された茶葉等の抽出用食品の残渣が該液とともに該飲料ボトル外へ流出しようとする際に前記本体部で前記残渣を捕獲して外部への流出を阻止するとともに該液の流出を許容し、
（２）もしくは前記本体部内に隔離・収容された茶葉等の抽出用食品の成分が該飲料ボトルの液中に抽出され、
（３）あるいは前記飲料ボトル内の液又は該ボトルに注入される液の改質のための液改質材が前記本体部内に隔離・収容され、その液改質材を触れつつ前記飲料ボトルに液が注入され又は液が流出することを特徴とする飲料ボトル用開口アタッチメント。
【請求項３】
前記本体部はその軸方向において２以上に分割され、その分割本体部同士が同心的かつ着脱可能にねじ結合又は嵌合により連結されて全体として１つの本体部とされ、一の分割本体部と他の分割本体部を分離した状態において、その一の及び他の分割本体部の少なくとも一方の内部に茶葉等の抽出用食品を収容できるようにした請求項２に記載の飲料ボトル用開口アタッチメント。
【請求項４】
前記本体部はその軸方向において２以上に分割され、その分割本体部同士が同心的かつ着脱可能にねじ結合又は嵌合により連結されて全体として１つの本体部とされ、それら一の分割本体部と他の分割本体部とにまたがる内部収容スペースを備えた請求項２に記載の飲料ボトル用開口アタッチメント。
【請求項５】
前記本体部はその軸方向において２以上に分割され、その分割本体部同士が同心的かつ着脱可能にねじ結合又は嵌合により連結されて全体として１つの本体部とされ、一の分割本体部から他の分割本体部を分離・除去した状態で、その一の分割本体部により前記飲料ボトルの液中に浸漬された後の抽出用食品の残渣の流出を阻止し、前記一の分割部本体部に他の分割本体部を結合した状態で該他の分割本体部内に茶葉等の抽出用食品を隔離・収容し、前記飲料ボトル内の液中に浸漬するようにした請求項２に記載の飲料ボトル用開口アタッチメント。
【請求項６】
前記本体部はその軸方向において２以上に分割され、その分割本体部同士が同心的かつ着脱可能にねじ結合又は嵌合により連結されて全体として１つの本体部とされ、一の分割本体部から他の分割本体部を分離・除去した状態で、その一の分割本体部により前記飲料ボトルの液中に浸漬された後の抽出用食品の残渣の流出を阻止し、前記一の分割部本体部に他の分割本体部を結合した状態で該他の分割本体部内に液改質材を隔離・収容し、前記飲料ボトル内の液中に浸漬するようにした請求項２に記載の飲料ボトル用開口アタッチメント。
【請求項７】
前記本体部はその軸方向において２以上に分割され、その分割本体部同士が同心的かつ着脱可能にねじ結合又は嵌合により連結されて全体として１つの本体部とされ、一の分割本体部には前記抽出用食品を隔離・収容するとともに、他の分割本体部には前記液改質材を隔離・収容し、前記飲料ボトル内の液中に浸漬するようにした請求項２に記載の飲料ボトル用開口アタッチメント。
【請求項８】
分離不能に一体化された前記雌ねじ付き円筒部及び開口形成円筒部に対して前記本体部を分離可能に一体化するために、前記開口形成円筒部の内周面及び前記本体部の外周面には、それらのうちの一方に凸部、他方に凹部を有し、弾性変形によって係合する係合部が形成され、
前記本体部は、軸方向から挿入したとき、前記係合部の弾性変形により前記開口形成円筒部の内側に固定される一方、軸方向に引き抜き力を付与したとき、前記係合部の弾性変形により前記開口形成円筒部から分離可能である請求項２に記載の飲料ボトル用開口アタッチメント。
【請求項９】
分離不能に一体化された前記雌ねじ付き円筒部及び開口形成円筒部に対して前記本体部を分離可能に一体化するために、前記本体部には径方向外側へ向かってフランジ部が突出形成され、
前記フランジ部は、前記本体部が前記飲料ボトルの内部に挿入されたとき、前記開口円筒部に載置されるとともに、前記雌ねじ付き円筒部の雌ねじ部が前記開口円筒部の雄ねじ部に螺合したとき、前記開口円筒部と前記雌ねじ付き円筒部との間に挟み込まれる請求項２に記載の飲料ボトル用開口アタッチメント。
【請求項１０】
前記フランジ部には、径方向外側へ向かう中途部から立ち上がる壁部が形成され、
前記壁部は、前記雌ねじ付き円筒部の雌ねじ部が前記開口円筒部の雄ねじ部に螺合したとき、前記開口形成円筒部の内側に位置する請求項９に記載の飲料ボトル用開口アタッチメント。
【請求項１１】
前記開口円筒部の外周面に形成された雄ねじ部を、請求項１ないし１０のいずれか１項に記載された飲料ボトル用開口アタッチメントの前記雌ねじ付き円筒部の内周面に形成された雌ねじ部と螺合させるとともに、前記飲料ボトル用開口アタッチメントの前記開口形成円筒部の外周面に形成された雄ねじ部に前記ボトルキャップを螺合させるアタッチメント形態と、
前記開口円筒部の外周面に形成された雄ねじ部に前記ボトルキャップを螺合させる本来の形態とに、
使用時の形態を変更可能であることを特徴とする飲料ボトル。
【発明の詳細な説明】
【技術分野】
【０００１】
本発明は、例えば、ペットボトル（ＰＥＴ（ポリエチレンテレフタレート）樹脂製容器）のようなプラスチック材料製の飲料ボトルや、スチール缶、アルミ缶のような金属材料製の飲料ボトルの開口部に装着される飲料ボトル用開口アタッチメントと、その飲料ボトル用開口アタッチメントを用いた飲料ボトルに関する。
【背景技術】
【０００２】
ペットボトル等の飲料ボトルの上部に開口として形成された開口円筒部に着脱可能に装着される、アタッチメント式の浄水器が知られている（特許文献１参照）。例えば、内部の飲料を飲み終わったペットボトルに特許文献１に示すアタッチメント式の浄水器を装着すると、ペットボトルに注入される水道水等をろ過し、浄水器を取り外さなくてもろ過した水道水等を飲むことができ、飲用済みのペットボトルを再利用することができる。
【先行技術文献】
【特許文献】
【０００３】
【特許文献１】特開平１１−７７０２６号公報
【０００４】
しかし、特許文献１の浄水器を飲用済みのペットボトルに装着し、その内部で再び茶葉等を抽出して飲もうとしても、吸着ろ過剤を保持するための取り付け部、蓋等を介して茶葉等の収容スペースを確保しなければならない。また、浄水器として使用する場合にも、本体部分に吸着ろ過剤を保持するための取り付け部、蓋等の構造が必要であり、かつ浄水（ろ過した水道水等）を飲むには、注ぎ口（飲み口）の開口面積よりも大きな総面積を有する入水口を本体部分に設ける必要もある。このように、複雑な構造を要する特許文献１の技術を使用できる範囲（適用範囲）は狭く、実質的に浄水器としての使用に制限されることになる。
【発明の概要】
【発明が解決しようとする課題】
【０００５】
本発明の課題は、液改質材により飲料ボトル内の液又は飲料ボトルに注入される液を改質する以外にも、他の用途に適用することができ、簡素な構成によって飲用済みの飲料ボトル及びボトルキャップの再利用効率を高め、資源の有効活用に資することのできる飲料ボトル用開口アタッチメントと、それを用いた飲料ボトルを提供することにある。
【課題を解決するための手段及び発明の効果】
【０００６】
上記課題を解決するために、本発明の飲料ボトル用開口アタッチメントは、
ペットボトル等の飲料ボトルの上部に開口として形成された開口円筒部に着脱可能に装着される飲料ボトル用開口アタッチメントであって、
前記飲料ボトルの開口円筒部の外周面に形成された雄ねじ部に螺合する雌ねじ部が内周面に形成された雌ねじ付き円筒部と、
その雌ねじ付き円筒部と一体的に、かつ該雌ねじ付き円筒部の雌ねじ部が前記開口円筒部の雄ねじ部に螺合することを許容する形態で形成され、液体の流通を許容しつつ一定以上の大きさの固体の流通を阻止する本体部と、
前記雌ねじ付円筒部からこれと同心的かつ一体的に外向きに突出し、前記飲料ボトルのボトルキャップ又は専用のキャップが螺合される雄ねじ部が外周面に形成された開口形成円筒部と、
を備え、
（１）前記飲料ボトルの開口円筒部に螺合された状態で、該飲料ボトルの液中に浸漬された茶葉等の抽出用食品の残渣が該液とともに該飲料ボトル外へ流出しようとする際に前記本体部で前記残渣を捕獲して外部への流出を阻止するとともに該液の流出を許容し、
（２）もしくは前記本体部内に隔離・収容された茶葉等の抽出用食品の成分が該飲料ボトルの液中に抽出され、
（３）あるいは前記飲料ボトル内の液又は該ボトルに注入される液の改質のための液改質材が前記本体部内に隔離・収容され、その液改質材を触れつつ前記飲料ボトルに液が注入され又は液が流出することを特徴とする。
【０００７】
また、上記課題を解決するために、本発明の飲料ボトル用開口アタッチメントは、
ペットボトル等の飲料ボトルの上部に開口として形成された開口円筒部に着脱可能に装着される飲料ボトル用開口アタッチメントであって、
前記飲料ボトルの開口円筒部の外周面に形成された雄ねじ部に螺合する雌ねじ部が内周面に形成された雌ねじ付き円筒部と、
その雌ねじ付き円筒部からこれと同心的かつ一体的に、しかも該雌ねじ付き円筒部の雌ねじ部が前記開口円筒部の雄ねじ部に螺合した状態で該開口円筒部の内側に位置する外周面を有して前記飲料ボトルの内部に向かって延び、内外間において液体の進入を許容しつつ一定以上の大きさの固体の通過を阻止する本体部と、
前記雌ねじ付円筒部からこれと同心的かつ一体的に、前記本体部とは反対へ突出し、前記飲料ボトルのボトルキャップ又は専用のキャップが螺合される雄ねじ部が外周面に形成された開口形成円筒部と、
を備え、
（１）前記飲料ボトルの開口円筒部に螺合された状態で、該飲料ボトルの液中に浸漬された茶葉等の抽出用食品の残渣が該液とともに該飲料ボトル外へ流出しようとする際に前記本体部で前記残渣を捕獲して外部への流出を阻止するとともに該液の流出を許容し、
（２）もしくは前記本体部内に隔離・収容された茶葉等の抽出用食品の成分が該飲料ボトルの液中に抽出され、
（３）あるいは前記飲料ボトル内の液又は該ボトルに注入される液の改質のための液改質材が前記本体部内に隔離・収容され、その液改質材を触れつつ前記飲料ボトルに液が注入され又は液が流出することを特徴とする。
【０００８】
このように、飲料ボトル用開口アタッチメントの本体部は、
（１）茶葉等の抽出用食品の残渣を捕獲する機能；
（２）茶葉等の抽出用食品を内部に隔離・収容する機能；
（３）液の改質のための液改質材を内部に隔離・収容する機能；
を有することができるため、簡素な構成によって飲用済みの飲料ボトル及びボトルキャップの再利用効率を高め、資源の有効活用に資することができる。
【０００９】
しかも、このようなアタッチメントの本体部が、開口円筒部の内側に位置する外周面を有して飲料ボトルの内部に向かって延びる場合には、上記した残渣の捕獲面積を大きくすることができ、液の流出を円滑にすることができる。なお、このような残渣の捕獲によって、飲料ボトル内部から外部への液の流出量（代わりに外部から飲料ボトル内部へ流入する空気の流入量でもある）が調整（制限）されるので、勢いよく流出する液でむせたりしにくくなり、高齢者や子供にとっても飲用しやすくなる。また、上記した抽出用食品や液改質材を内部に隔離・収容するスペースを大きくすることができ、成分の抽出や液の改質を能率よく行うことができる。
【００１０】
なお、抽出用食品には、例えば、緑茶、紅茶、ウーロン茶、ハーブ茶、柿の葉茶といった茶葉等を含み、水出し（低温抽出）、お湯出し（高温抽出）、いずれも可能である。また、液改質材には、麦飯石、セラミックボール、活性炭等を含む。そして、これらの抽出用食品や液改質材を本体部に収容する際、内部収容スペース内にそのままの状態で、あるいは液体の流通可能な包装紙等で所定量を包んだパック詰め（分包）状態で投入することができる。さらに、本体部の内部収容スペースや飲料ボトルの内部へ非包装状態で投入する場合、計量スプーンを用いたり、アタッチメントの開口形成円筒部や飲料ボトルの開口円筒部に挿入した漏斗を用いたりすると便利である。
【００１１】
具体的な一態様として、
本体部はその軸方向において２以上に分割され、その分割本体部同士が同心的かつ着脱可能にねじ結合又は嵌合により連結されて全体として１つの本体部とされ、一の分割本体部と他の分割本体部を分離した状態において、その一の及び他の分割本体部の少なくとも一方の内部に茶葉等の抽出用食品を収容できる。
【００１２】
分割本体部の少なくとも一方の内部に茶葉等の抽出用食品を収容することによって、収容スペースに対する抽出用食品の投入や除去・洗浄の作業が簡便に行えるようになる。
【００１３】
また、他の態様として、
本体部はその軸方向において２以上に分割され、その分割本体部同士が同心的かつ着脱可能にねじ結合又は嵌合により連結されて全体として１つの本体部とされ、それら一の分割本体部と他の分割本体部とにまたがる内部収容スペースを備えることができる。
【００１４】
複数の分割本体部にまたがる内部収容スペースを備えることによって、上記した抽出用食品や液改質材を内部に収容できるスペースが大きくなる。したがって、飲料ボトルの内容量等に応じてこれらの収容量を調節し、成分の抽出や液の改質の能率向上を図ることができる。
【００１５】
さらに他の態様として、
本体部はその軸方向において２以上に分割され、その分割本体部同士が同心的かつ着脱可能にねじ結合又は嵌合により連結されて全体として１つの本体部とされ、一の分割本体部から他の分割本体部を分離・除去した状態で、その一の分割本体部により飲料ボトルの液中に浸漬された後の抽出用食品の残渣の流出を阻止し、一の分割部本体部に他の分割本体部を結合した状態で他の分割本体部内に茶葉等の抽出用食品を隔離・収容し、飲料ボトル内の液中に浸漬するようにしてもよい。
【００１６】
このように、複数の分割本体部のうちの使用数を調整することによって、例えば、飲料ボトルの内容量等に応じて茶葉等の抽出用食品の投入量を容易に調節することができる。
【００１７】
さらに別の態様として、
本体部はその軸方向において２以上に分割され、その分割本体部同士が同心的かつ着脱可能にねじ結合又は嵌合により連結されて全体として１つの本体部とされ、一の分割本体部から他の分割本体部を分離・除去した状態で、その一の分割本体部により飲料ボトルの液中に浸漬された後の抽出用食品の残渣の流出を阻止し、一の分割部本体部に他の分割本体部を結合した状態で他の分割本体部内に液改質材を隔離・収容し、飲料ボトル内の液中に浸漬するようにしてもよい。
【００１８】
これによって、抽出用食品からの成分の抽出と、液改質材による液の改質とを同時に効率よく実行することができる。
【００１９】
さらに異なる態様として、
本体部はその軸方向において２以上に分割され、その分割本体部同士が同心的かつ着脱可能にねじ結合又は嵌合により連結されて全体として１つの本体部とされ、一の分割本体部には抽出用食品を隔離・収容するとともに、他の分割本体部には液改質材を隔離・収容し、飲料ボトル内の液中に浸漬するようにしてもよい。
【００２０】
これによって、抽出用食品からの成分の抽出と、液改質材による液の改質とを同時に効率よく実行することができる。
【００２１】
そして、上記課題を解決するために、本発明の飲料ボトルは、
前記開口円筒部の外周面に形成された雄ねじ部を、以上で述べた飲料ボトル用開口アタッチメントの前記雌ねじ付き円筒部の内周面に形成された雌ねじ部と螺合させるとともに、前記飲料ボトル用開口アタッチメントの前記開口形成円筒部の外周面に形成された雄ねじ部に前記ボトルキャップを螺合させるアタッチメント形態と、
前記開口円筒部の外周面に形成された雄ねじ部に前記ボトルキャップを螺合させる本来の形態とに、
使用時の形態を変更可能であることを特徴とする。
【００２２】
このように、ボトルキャップを共用するだけの簡素な構成によって、アタッチメント形態と本来の形態とに変更可能となり、飲用済みの飲料ボトル及びボトルキャップの再利用効率を一層高め、資源の有効活用に資することができる。
【図面の簡単な説明】
【００２３】
【図１】本発明に係る飲料ボトル用開口アタッチメントを装着した飲料ボトルを例示する正面断面図。
【図２】本発明に係る飲料ボトル用開口アタッチメントの第一例を示す斜視図。
【図３Ａ】図２の平面図。
【図３Ｂ】図２の正面図。
【図４】図３ＡのＡ−Ａ断面図。
【図５】図４の一部を拡大して示す断面図。
【図６】図４に示す飲料ボトル用開口アタッチメントの第一の使用態様を表す説明図。
【図７】図６に続く使用状態の説明図。
【図８】図４に示す飲料ボトル用開口アタッチメントの第二の使用態様を表す説明図。
【図９】図８に続く使用状態の説明図。
【図１０】図４に示す飲料ボトル用開口アタッチメントの第三の使用態様を表す説明図。
【図１１】図１０に続く使用状態の説明図。
【図１２】図４に示す飲料ボトル用開口アタッチメントの第四の使用態様を表す説明図。
【図１３】図１２に続く使用状態の説明図。
【図１４】図４に示す飲料ボトル用開口アタッチメントの第五の使用態様を表す説明図。
【図１５】図１４に続く使用状態の説明図。
【図１６】図４に示す飲料ボトル用開口アタッチメントの第六の使用態様を表す説明図。
【図１７】図１６に続く使用状態の説明図。
【図１８】第一分割本体部と第二分割本体部との連結構造の第一変形例を示す説明図。
【図１９】第一分割本体部と第二分割本体部との連結構造の第二変形例を示す説明図。
【図２０】第一分割本体部と第二分割本体部との連結構造の第三変形例を示す説明図。
【図２１Ａ】本発明に係る飲料ボトル用開口アタッチメントの第二例を示す平面図。
【図２１Ｂ】図２１Ａの正面断面図。
【図２２】図２１Ｂに示す飲料ボトル用開口アタッチメントの使用態様の一例を表す説明図。
【図２３】図２２に続く使用状態の説明図。
【図２４】図２３に続く使用状態の説明図。
【図２５】本発明に係る飲料ボトル用開口アタッチメントの第三例を示す正面断面図。
【図２６】図２５に示す飲料ボトル用開口アタッチメントの使用態様の一例を表す説明図。
【図２７】図２６に続く使用状態の説明図。
【図２８】図２５の第一変形例を示す正面断面図。
【図２９】図２５の第二変形例を示す正面断面図。
【図３０】本発明に係る飲料ボトル用開口アタッチメントの第四例を示す正面断面図。
【図３１】図３０に示す飲料ボトル用開口アタッチメントの使用態様の一例を表す説明図。
【図３２】図３１に続く使用状態の説明図。
【図３３】本発明に係る飲料ボトル用開口アタッチメントの第五例を示す正面半断面図。
【図３４】図３３のＤ−Ｄ断面拡大図。
【図３５】図３３の要部を拡大して示す断面図。
【図３６】図３３に示す飲料ボトル用開口アタッチメントの使用態様の一例を表す説明図。
【図３７】図３６に続く使用状態の説明図。
【図３８】図３３の第一変形例を示す正面半断面図。
【図３９】図３３の第二変形例を示す正面半断面図。
【図４０】本発明に係る飲料ボトル用開口アタッチメントの第六例を示す正面半断面図。
【図４１】図４０に示す飲料ボトル用開口アタッチメントの使用態様の一例を表す説明図。
【図４２】図４１に続く使用状態の説明図。
【図４３】図４０の変形例を示す正面断面図。
【図４４】図４３に示す飲料ボトル用開口アタッチメントの使用態様の一例を表す説明図。
【図４５】図４４に続く使用状態の説明図。
【発明を実施するための形態】
【００２４】
（実施例１）
以下、本発明の実施形態を図面を参照しつつ説明する。図１は本発明に係る飲料ボトル用開口アタッチメントを装着した飲料ボトルを例示する正面断面図である。また、図２は本発明に係る飲料ボトル用開口アタッチメントの第一例を示す斜視図、図３Ａはその平面図、図３Ｂは同じく正面図、図４は図３ＡのＡ−Ａ断面図、図５は図４の一部を拡大して示す断面図である。図１に示す飲料ボトル用開口アタッチメント（以下、単にアタッチメントともいう）１０は、ペットボトルＢ（飲料ボトル）の上部に開口として形成された開口円筒部Ｎに着脱可能に装着される。具体的には、このアタッチメント１０は、雌ねじ付き円筒部１と本体部３と開口形成円筒部４とを備えている。
【００２５】
図２〜図４に示すように、雌ねじ付き円筒部１の内周面には、ペットボトルＢの開口円筒部Ｎの外周面に形成された雄ねじ部ＢＳ（図１参照）と螺合する雌ねじ部２が形成されている。本体部３は、雌ねじ付き円筒部１の雌ねじ部２が開口円筒部Ｎの雄ねじ部ＢＳに螺合した状態で、開口円筒部Ｎの内側に位置する外周面を有するとともに、雌ねじ付き円筒部１からペットボトルＢの内部に向かって、雌ねじ付き円筒部１と同心的かつ一体的に延びている（図１参照）。この本体部３は、内外間において水（液体）の進入を許容しつつ一定以上の大きさの固体（例えば茶殻ＴＬ）の通過を阻止する（図７参照）。開口形成円筒部４は、雌ねじ付円筒部１からこれと同心的かつ一体的に、本体部３とは反対へ突出している。この開口形成円筒部４の外周面には、ペットボトルＢのボトルキャップＣの内周面に形成された雌ねじ部ＣＳ（図１参照）と螺合する雄ねじ部５が形成されている。
【００２６】
ペットボトルＢの本来の形態は、開口円筒部Ｎの外周面に形成された雄ねじ部ＢＳにボトルキャップＣの内周面に形成された雌ねじ部ＣＳが螺合するものである（図示省略）。一方、アタッチメント１０を使用するアタッチメント形態においては、ペットボトルＢの雄ねじ部ＢＳにアタッチメント１０の雌ねじ部２が螺合し、アタッチメント１０の雄ねじ部５にボトルキャップＣの雌ねじ部ＣＳが螺合する（図１参照）。このように、ボトルキャップＣの共用により、ペットボトルＢにおける本来の形態とアタッチメント形態との利用効率が高まる。もちろん、アタッチメント形態専用のキャップを用いてもよい。
【００２７】
図４及び図５に示すように、本体部３は、上下方向（軸方向）において複数（例えば２つ）の分割本体部３１，３２に分割され、分割本体部３１，３２は同心的かつ着脱可能に連結されている。具体的には、上方に位置する第一分割本体部３１（一の分割本体部）は、筒状（例えば円筒状）の周壁に多数の貫通孔３１ａが形成された多孔部として構成されている。また、多孔部３１は、その下端部近傍に、底壁に複数のろ過孔３１２ａが貫通形成されたろ過部３１２を有している。これらの貫通孔３１ａやろ過孔３１２ａは、内外間において水（液体）の進入を許容しつつ一定以上の大きさの固体（例えば茶殻ＴＬ；図７参照）の通過を阻止する程度の大きさ（例えば直径１〜２ｍｍ）を有する。多孔部３１は、上端において、雌ねじ付円筒部１及び開口形成円筒部４と同心状に開口する本体開口部３ａが形成されている。なお、多孔部３１、雌ねじ付円筒部１及び開口形成円筒部４を合成樹脂材料により一体成形してもよい。
【００２８】
一方、下方に位置する第二分割本体部３２（他の分割本体部）は、筒状（例えば円筒状）の周壁部とその下端にてドーム状（例えば半球状）に閉塞する先端（下端）部とがメッシュ（例えば金網）で形成されたメッシュ部として構成されている。このメッシュ部３２は、内外間において水（液体）の進入を許容しつつ一定以上の大きさの固体（例えば茶殻ＴＬ；図７参照）の通過を阻止する程度の大きさ（例えば０．５ｍｍ以下の網目）を有する。
【００２９】
多孔部３１の下端部内周面には雌ねじ部３１１（第一ねじ部）、メッシュ部３２の上端部外周面には雄ねじ部３２１（第二ねじ部）がそれぞれ形成され、多孔部３１とメッシュ部３２とは、両ねじ部３１１，３２１の螺合により着脱可能にねじ結合される。なお、このねじ結合部において、多孔部３１の最大外径とメッシュ部３２の最大外径とは同径（面一）に形成されている。また、雄ねじ部３２１は、例えば円筒状で合成樹脂製の筒状体であり、メッシュ部３２上端縁の保持部を兼ねている。
【００３０】
以上のように構成されたアタッチメント１０の使用態様について、図６〜図１７を参照しつつ説明する。
【００３１】
＜第一の使用態様＞（図６，図７）
ペットボトルＢ中に茶葉Ｔ（抽出用食品）を投入し、水（又は湯）中に浸漬する。このとき、ペットボトルＢの開口円筒部Ｎに挿入した漏斗ＦＮを介して茶葉Ｔを投入してもよい（図６参照）。所定時間（例えば１０〜３０分）後に、ペットボトルＢの雄ねじ部ＢＳにアタッチメント１０の雌ねじ部２を螺合し、ペットボトルＢを傾けると、ペットボトルＢ中のお茶（抽出液）は、貫通孔３１ａ，ろ過孔３１２ａ，メッシュ部３２を通り、開口形成円筒部４から流出する。しかし、ペットボトルＢ中の茶殻ＴＬ（残渣）は、貫通孔３１ａ，メッシュ部３２で捕獲されて外部への流出を阻止される（図７，図５参照）。したがって、茶葉Ｔから抽出されたお茶が、アタッチメント１０の開口形成円筒部４から飲用され、茶殻ＴＬはペットボトルＢ内に留まって外部へ流出しない。なお、投入した茶葉Ｔを浮遊状態にて短時間で抽出すると、抽出液（お茶）の味や香りがよい。
【００３２】
＜第二の使用態様＞（図８，図９）
分離したメッシュ部３２の内部に茶葉Ｔを投入し、両ねじ部３１１，３２１の螺合により多孔部３１とメッシュ部３２とを連結する。ペットボトルＢの雄ねじ部ＢＳにアタッチメント１０の雌ねじ部２を螺合して、茶葉Ｔを水（又は湯）中に浸漬する。このとき、計量スプーンＳＰで定量（例えば２ｇ又は５ｇ）の茶葉Ｔを掬い取って投入してもよい（図８参照）。所定時間（例えば１０〜３０分）後に、ペットボトルＢを傾けると、ペットボトルＢ中のお茶は、貫通孔３１ａ，ろ過孔３１２ａ，メッシュ部３２を通り、開口形成円筒部４から流出する。しかし、メッシュ部３２中の茶殻ＴＬは、ろ過孔３１２ａで捕獲されて外部への流出を阻止される（図９，図５参照）。したがって、茶葉Ｔから抽出されたお茶が、アタッチメント１０の開口形成円筒部４から飲用され、茶殻ＴＬはメッシュ部３２内に留まって外部へ流出しない。
【００３３】
＜第三の使用態様＞（図１０，図１１）
分離したメッシュ部３２の内部にセラミックボールＳ（液改質材）を投入し、両ねじ部３１１，３２１の螺合により多孔部３１とメッシュ部３２とを連結する。ペットボトルＢの雄ねじ部ＢＳにアタッチメント１０の雌ねじ部２を螺合して、セラミックボールＳを水道水中に浸漬する（図１０参照）。所定時間（例えば１０〜３０分）後に、ペットボトルＢを傾けると、ペットボトルＢ中の浄水（改質液）は、貫通孔３１ａ，ろ過孔３１２ａ，メッシュ部３２を通り、開口形成円筒部４から流出する。しかし、メッシュ部３２中のセラミックボールＳは、ろ過孔３１２ａで捕獲されて外部への流出を阻止される（図１１，図５参照）。したがって、セラミックボールＳで改質された浄水が、アタッチメント１０の開口形成円筒部４から飲用され、セラミックボールＳはメッシュ部３２内に留まって外部へ流出しない。
【００３４】
＜第四の使用態様＞（図１２，図１３）
ペットボトルＢ中に茶葉Ｔ１を投入し、水（又は湯）中に浸漬する。所定時間（例えば１０〜３０分）後に、ペットボトルＢの開口円筒部Ｎ中に多孔部３１のみを挿入し、ペットボトルＢの雄ねじ部ＢＳにアタッチメント１０の雌ねじ部２を螺合して、ペットボトルＢを傾けると、ペットボトルＢ中のお茶は、貫通孔３１ａ，ろ過孔３１２ａを通り、開口形成円筒部４から流出する。しかし、ペットボトルＢ中の茶殻ＴＬ１は、貫通孔３１ａ，ろ過孔３１２ａで捕獲されて外部への流出を阻止される（図１２，図５参照）。したがって、茶葉Ｔ１から抽出されたお茶が、アタッチメント１０の開口形成円筒部４から飲用され、茶殻ＴＬ１はペットボトルＢ内に留まって外部へ流出しない。
【００３５】
一方、ペットボトルＢ中に茶葉Ｔ１を投入するとともに、分離したメッシュ部３２の内部に別の茶葉Ｔ２を投入し、両ねじ部３１１，３２１の螺合により多孔部３１とメッシュ部３２とを連結する。ペットボトルＢの雄ねじ部ＢＳにアタッチメント１０の雌ねじ部２を螺合して、これらの茶葉Ｔ１，Ｔ２を水（又は湯）中に浸漬する。所定時間（例えば１０〜３０分）後に、ペットボトルＢを傾けると、ペットボトルＢ中のお茶は、貫通孔３１ａ，ろ過孔３１２ａ，メッシュ部３２を通り、開口形成円筒部４から流出する。しかし、ペットボトルＢ中の茶殻ＴＬ１は貫通孔３１ａ，メッシュ部３２で捕獲され、メッシュ部３２中の茶殻ＴＬ２はろ過孔３１２ａで捕獲されて、いずれも外部への流出を阻止される（図１３，図５参照）。したがって、茶葉Ｔ１，Ｔ２から抽出されたお茶が、アタッチメント１０の開口形成円筒部４から飲用され、茶殻ＴＬ１，ＴＬ２はペットボトルＢ内に留まって外部へ流出しない。なお、図１３の使用態様は、例えば内容量の大きいペットボトル（例えば３Ｌ入り）に適用できる。
【００３６】
＜第五の使用態様＞（図１４，図１５）
ペットボトルＢ中に茶葉Ｔを投入し、水（又は湯）中に浸漬する。所定時間（例えば１０〜３０分）後に、ペットボトルＢの開口円筒部Ｎ中に多孔部３１のみを挿入し、アタッチメント１０の雄ねじ部ＢＳに雌ねじ部２を螺合して、ペットボトルＢを傾けると、ペットボトルＢ中のお茶は、貫通孔３１ａ，ろ過孔３１２ａを通り、開口形成円筒部４から流出する。しかし、ペットボトルＢ中の茶殻ＴＬは、貫通孔３１ａ，ろ過孔３１２ａで捕獲されて外部への流出を阻止される（図１４，図５参照）。したがって、茶葉Ｔから抽出されたお茶が、アタッチメント１０の開口形成円筒部４から飲用され、茶殻ＴＬはペットボトルＢ内に留まって外部へ流出しない。
【００３７】
一方、ペットボトルＢ中に茶葉Ｔを投入するとともに、分離したメッシュ部３２の内部にセラミックボールＳを投入し、両ねじ部３１１，３２１の螺合により多孔部３１とメッシュ部３２とを連結する。ペットボトルＢの雄ねじ部ＢＳにアタッチメント１０の雌ねじ部２を螺合して、これらの茶葉ＴとセラミックボールＳとを水道水中に浸漬する。所定時間（例えば１０〜３０分）後に、ペットボトルＢを傾けると、ペットボトルＢ中のお茶（浄水）は、貫通孔３１ａ，ろ過孔３１２ａ，メッシュ部３２を通り、開口形成円筒部４から流出する。しかし、ペットボトルＢ中の茶殻ＴＬは貫通孔３１ａ，メッシュ部３２で捕獲され、メッシュ部３２中のセラミックボールＳはろ過孔３１２ａで捕獲されて、いずれも外部への流出を阻止される（図１５，図５参照）。したがって、茶葉Ｔから抽出されセラミックボールＳで浄化されたお茶が、アタッチメント１０の開口形成円筒部４から飲用され、茶殻ＴＬ及びセラミックボールＳはペットボトルＢ内に留まって外部へ流出しない。なお、図１５の使用態様によって、お茶の抽出と水道水の浄化とを同時に行うことができる。
【００３８】
＜第六の使用態様＞（図１６，図１７）
本体部３を多孔部３１とメッシュ部３２とに分離し、多孔部３１の内部にはパック茶葉ＴＰ（抽出用食品）を、メッシュ部３２の内部にはセラミックボールＳをそれぞれ投入した後、ねじ部３１１，３２１の螺合により多孔部３１とメッシュ部３２とを連結する。このとき、パック茶葉ＴＰは、液体の流通可能な包装紙等で所定量（例えば２ｇ）を包んだパック詰め（分包）状態であり、所定時間（例えば１０〜３０分）後にパック茶殻ＴＬ（残渣）として取り出して廃棄される（図１６参照）。その後に、ペットボトルＢを傾けると、ペットボトルＢ中のお茶（浄水）は、貫通孔３１ａ，ろ過孔３１２ａ，メッシュ部３２を通り、開口形成円筒部４から流出する。しかし、メッシュ部３２中のセラミックボールＳは、ろ過孔３１２ａで捕獲されて外部への流出を阻止される（図１７，図５参照）。したがって、茶葉Ｔから抽出されセラミックボールＳで浄化されたお茶が、アタッチメント１０の開口形成円筒部４から飲用され、セラミックボールＳはメッシュ部３２内に留まって外部へ流出しない。
【００３９】
（変形例）
図１８〜図２０に、多孔部３１とメッシュ部３２との連結構造の変形例を示す。図１８のねじ結合部において、多孔部３１の最大外径がメッシュ部３２の最大外径よりも大きく形成されている。図１９のねじ結合部において、多孔部３１の下端部外周面に雄ねじ部３１１’（第一ねじ部）、メッシュ部３２の上端部内周面に雌ねじ部３２１’（第二ねじ部）がそれぞれ形成されている。
【００４０】
図２０は、多孔部３１の下端部とメッシュ部３２の上端部との摩擦嵌合による連結構造例を示している。具体的には、多孔部３１の下端部とメッシュ部３２の上端部とのうち、一方（例えば多孔部３１側）に小径部３１１”、他方に大径部３２１”をそれぞれ形成し、これら小径部３１１”と大径部３２１”とを軸方向から嵌合・固定する。なお、小径部３１１”を径方向内側へ弾性変形させておき、嵌合したときに弾性復帰させるようにすると、両者を締まり嵌め状態で固定することができる。
【００４１】
（実施例２）
図２１Ａは本発明に係る飲料ボトル用開口アタッチメントの第二例を示す平面図、図２１Ｂはその正面断面図である。これらの図に示す飲料ボトル用開口アタッチメント（以下、単にアタッチメントともいう）２０の本体部３は、第一多孔部２３１（第一分割本体部；一の分割本体部）と第二多孔部２３２（第二分割本体部；他の分割本体部）とから構成されている。
【００４２】
上方に位置する第一多孔部２３１には、筒状（例えば円筒状）の周壁に多数の貫通孔２３１ａが形成されている。一方、下方に位置する第二多孔部２３２は、筒状（例えば円筒状）の周壁部とその下端にてドーム状（例えば半球状）に閉塞する先端（下端）部とが一体成形され、全体に多数の貫通孔２３２ａが形成されている。これらの貫通孔２３１ａ，２３２ａは、内外間において水（液体）の進入を許容しつつ一定以上の大きさの固体（例えば茶殻ＴＬ；図７参照）の通過を阻止する程度の大きさ（例えば直径１〜２ｍｍ）を有する。なお、第一多孔部２３１は図５（実施例１）のろ過部３１２を有しないため、本体部３には第一多孔部２３１と第二多孔部２３２とにまたがる内部収容スペース２３３が形成される。
【００４３】
以上のように構成されたアタッチメント２０の使用態様について、図２２〜図２４を参照しつつ説明する。
【００４４】
ペットボトルＢの雄ねじ部ＢＳにアタッチメント２０の雌ねじ部２を螺合し、開口形成円筒部４から第一多孔部２３１と第二多孔部２３２とにまたがる内部収容スペース２３３にパック茶葉ＴＰ（抽出用食品）を投入し、水（又は湯）中に浸漬する（図２２参照）。このパック茶葉ＴＰは、液体の流通可能な包装紙等で所定量（例えば２ｇ）を包んだパック詰め（分包）状態であり、所定時間（例えば１０〜３０分）後にパック茶殻ＴＬ（残渣）として取り出して廃棄される（図２３参照）。その後に、ペットボトルＢを傾けると、ペットボトルＢ中のお茶は、貫通孔２３１ａ，２３２ａを通り、開口形成円筒部４から流出する（図２４参照）。したがって、パック茶葉ＴＰから抽出されたお茶が、アタッチメント２０の開口形成円筒部４から飲用される。
【００４５】
（実施例３）
図２５は本発明に係る飲料ボトル用開口アタッチメントの第三例を示す正面断面図である。図２５に示す飲料ボトル用開口アタッチメント（以下、単にアタッチメントともいう）３０の本体部３は、筒状（例えば円筒状）の周壁部とその下端にてドーム状（例えば半球状）に閉塞する先端（下端）部とが一体成形され、全体に多数の貫通孔３３ａが形成された多孔部３３として構成されている。これらの貫通孔３３ａは、内外間において水（液体）の進入を許容しつつ一定以上の大きさの固体（例えば茶殻ＴＬ；図７参照）の通過を阻止する程度の大きさ（例えば直径１〜２ｍｍ）を有する。なお、多孔部３３は図５（実施例１）のろ過部３１２を有しないため、内部全体が収容スペースとなる。また、多孔部３３（本体部３）、雌ねじ付円筒部１及び開口形成円筒部４を合成樹脂材料により一体成形してもよい。
【００４６】
以上のように構成されたアタッチメント３０の使用態様について、図２６，図２７を参照しつつ説明する。
【００４７】
ペットボトルＢの雄ねじ部ＢＳにアタッチメント３０の雌ねじ部２を螺合し、開口形成円筒部４から多孔部３３の内部にパック茶葉ＴＰ（抽出用食品）を投入し、水（又は湯）中に浸漬する。このパック茶葉ＴＰは、液体の流通可能な包装紙等で所定量（例えば２ｇ）を包んだパック詰め（分包）状態であり、所定時間（例えば１０〜３０分）後にパック茶殻ＴＬ（残渣）として取り出して廃棄される（図２６参照）。その後に、ペットボトルＢを傾けると、ペットボトルＢ中のお茶は、貫通孔３３ａを通り、開口形成円筒部４から流出する（図２７参照）。したがって、パック茶葉ＴＰから抽出されたお茶が、アタッチメント３０の開口形成円筒部４から飲用される。なお、アタッチメント３０は、実施例１に示す第一の使用態様（図６，図７参照）のように、ペットボトルＢ中に茶葉Ｔ（抽出用食品）を投入する態様で使用してもよい。
【００４８】
（変形例）
図２８，図２９に本体部３の変形例を示す。図２８の本体部３を構成する多孔部３３には、筒状（例えば円筒状）の周壁部の下端を平面状に閉塞する底壁部のみに複数の貫通孔３３ａが形成されている。図２９の本体部３は、筒状（例えば円筒状）の周壁部とその下端にてドーム状（例えば半球状）に閉塞する先端（下端）部とがメッシュ（例えば金網）で形成されたメッシュ部３４として構成されている。このメッシュ部３４は、内外間において水（液体）の進入を許容しつつ一定以上の大きさの固体（例えば茶殻ＴＬ；図７参照）の通過を阻止する程度の大きさ（例えば０．５ｍｍ以下の網目）を有する。
【００４９】
（実施例４）
図３０は本発明に係る飲料ボトル用開口アタッチメントの第四例を示す正面断面図である。図３０に示す飲料ボトル用開口アタッチメント（以下、単にアタッチメントともいう）４０の本体部３は、雌ねじ付き円筒部１の上端部（図４（実施例１）の本体開口部３ａに相当する）を平面状に閉塞する上壁部４３に複数の貫通孔４３ａが形成されている。これらの貫通孔４３ａは、内外間において水（液体）の進入を許容しつつ一定以上の大きさの固体（例えば茶殻ＴＬ；図３２参照）の通過を阻止する程度の大きさ（例えば直径１〜２ｍｍ）を有する。
【００５０】
以上のように構成されたアタッチメント４０の使用態様について、図３１，図３２を参照しつつ説明する。
【００５１】
ペットボトルＢ中に茶葉Ｔ（抽出用食品）を投入し、水（又は湯）中に浸漬する（図３１参照）。所定時間（例えば１０〜３０分）後に、ペットボトルＢの雄ねじ部ＢＳにアタッチメント４０の雌ねじ部２を螺合し、ペットボトルＢを傾けると、ペットボトルＢ中のお茶（抽出液）は、貫通孔４３ａを通り、開口形成円筒部４から流出する。しかし、ペットボトルＢ中の茶殻ＴＬ（残渣）は、貫通孔４３ａで捕獲されて外部への流出を阻止される（図３２参照）。したがって、茶葉Ｔから抽出されたお茶が、アタッチメント４０の開口形成円筒部４から飲用され、茶殻ＴＬはペットボトルＢ内に留まって外部へ流出しない。なお、投入した茶葉Ｔを浮遊状態にて短時間で抽出すると、抽出液（お茶）の味や香りがよい。
【００５２】
（実施例５）
図３３は本発明に係る飲料ボトル用開口アタッチメントの第五例を示す正面半断面図、図３４はそのＤ−Ｄ断面拡大図、図３５は図３３の要部を拡大して示す断面図である。図３３に示す飲料ボトル用開口アタッチメント（以下、単にアタッチメントともいう）５０の本体部３は、筒状（例えば円筒状）の周壁部とその下端にてドーム状（例えば半球状）に閉塞する先端（下端）部とが一体成形され、周壁部と先端部とにそれぞれ多数の貫通孔５３ａ，５３ｂが形成された多孔部５３として構成されている。
【００５３】
図３４に示すように、周壁貫通孔５３ａは、多孔部５３の周壁部において、１列当たりで見ると、四半周（９０°）内に複数個（例えば４個）ずつ一定の方向（図では斜め４５°方向）に平行状に形成され、これを１組として長手方向に多数列（例えば３０列）配置されている。一方、先端貫通孔５３ｂは、多孔部５３の先端部において、複数列（例えば３列）の同心円状に並ぶように多数（例えば計２８個）配置され、各々が放射状に形成されている。これらの貫通孔５３ａ，５３ｂは、内外間において水（液体）の進入を許容しつつ一定以上の大きさの固体（例えば茶殻ＴＬ；図７参照）の通過を阻止する程度の大きさ（例えば直径１〜２ｍｍ）を有する。なお、多孔部５３は図５（実施例１）のろ過部３１２を有しないため、内部全体が収容スペースとなる。
【００５４】
図３５に示すように、雌ねじ付円筒部１及び開口形成円筒部４は合成樹脂材料により一体成形されている。合成樹脂材料製の多孔部５３（本体部３）は、一体成形された雌ねじ付円筒部１及び開口形成円筒部４に対し、係合部５４，６の摩擦嵌合により着脱自在（分離可能）となる形態にて、一体的に形成されている。
【００５５】
具体的には、開口形成円筒部４の下端部内周面と多孔部５３の上端部外周面とのうち、一方（例えば開口形成円筒部４側の内周面）に係合凸部６（係合部）が全周にわたり突出形成され、他方（例えば多孔部５３側の外周面）に係合凸部６と嵌り合う係合凹部５４（係合部）が全周にわたり形成されている。また、その係合凹部５４の上側（挿入方向前方側）には、係合凸部６を案内して係合凹部５４と嵌合させるために、下方へ向かうほど拡径し、係合凹部５４よりもやや大径にて係合凹部５４と連接される拡径部５５が全周にわたり形成されている。さらに、係合凹部５４の下側（挿入方向後方側）には、係合凹部５４との嵌合状態にて係合凸部６を着座させるために、係合凹部５４及び拡径部５５よりも大径の着座部５６が全周にわたり突出形成されている。
【００５６】
多孔部５３（本体部３）を開口形成円筒部４の内側において軸方向から（上方へ）挿入したとき、多孔部５３の拡径部５５が開口形成円筒部４の係合凸部６に乗り上げると、開口形成円筒部４が拡径部５５（多孔部５３）を径方向内側へ弾性変形させる。さらに多孔部５３を挿入して拡径部５５が係合凸部６を乗り越えると、係合凹部５４（多孔部５３）が弾性復帰し、係合凸部６に嵌り合って締まり嵌め状態で固定され、同時に係合凸部６が着座部５６に着座することにより、多孔部５３は開口形成円筒部４に一体化される。また、多孔部５３を挿入方向とは反対方向（下方）に引き出すとき、拡径部５５が弾性変形及び弾性復帰し、上記とは逆方向に係合凸部６を乗り越えることにより、係合凸部６と係合凹部５４との嵌合が解かれ、多孔部５３は開口形成円筒部４（雌ねじ付円筒部１）から分離するので、別々に保管・管理することができる。
【００５７】
なお、本実施形態では、
（１）係合凸部６及び係合凹部５４を全周に設けなくても、周方向に所定角度間隔で複数（例えば９０°間隔で合計４個）の突起状及び窪み状に形成してもよい。
（２）多孔部５３（本体部３）は、一体成形された雌ねじ付円筒部１及び開口形成円筒部４に対し、摩擦嵌合に代わるねじ嵌合により着脱自在（分離可能）となる形態にて、一体的に形成してもよい。
【００５８】
以上のように構成されたアタッチメント５０の使用態様について、図３６，図３７を参照しつつ説明する。
【００５９】
開口形成円筒部４（雌ねじ付円筒部１）に挿入・一体化した多孔部５３の内部に茶葉Ｔ（抽出用食品）を投入するとともに、ペットボトルＢの雄ねじ部ＢＳにアタッチメント５０の雌ねじ部２を螺合して、水（又は湯）中に浸漬する（図３６参照）。このときさらに、開口形成円筒部４の雄ねじ部５にボトルキャップＣの雌ねじ部ＣＳを螺合すれば、ペットボトルＢの持ち運びができる。所定時間（例えば１０〜３０分）経過後に、雄ねじ部ＢＳと雌ねじ部２との螺合を解除してアタッチメント５０（及びボトルキャップＣ）をペットボトルＢから取り外し、ペットボトルＢを傾けると、ペットボトルＢ中のお茶は、開口円筒部Ｎから流出する（図３７参照）。したがって、茶葉Ｔから抽出されたお茶が、ペットボトルＢの開口円筒部Ｎから飲用される。
【００６０】
そして、係合凸部６と係合凹部５４との嵌合を解き（図３５参照）、ペットボトルＢから取り外したアタッチメント５０の開口形成円筒部４（雌ねじ付円筒部１）から多孔部５３（本体部３）を分離することによって、多孔部５３の内部に付着する茶殻ＴＬ（残渣）を水道水で洗い流したり、洗浄ブラシで除去したりすることができる（図３７参照）。
【００６１】
このように、アタッチメント５０では、摩擦嵌合（又はねじ嵌合）により、開口形成円筒部４（雌ねじ付円筒部１）に対して多孔部５３（本体部３）を着脱自在（分離可能）としたので、多孔部５３の内部を洗浄する際等の取り扱い性が向上し、多孔部５３の保管・管理も容易となる。なお、アタッチメント５０は、実施例１に示す第一の使用態様（図６，図７参照）のように、ペットボトルＢ中に茶葉Ｔ（抽出用食品）を投入する態様で使用してもよい。
【００６２】
（変形例）
図３３における本体部３の変形例を図３８，図３９に示す。図３８に示すアタッチメント５０では、多孔部５３（本体部３）の上端に、本体開口部３ａから径方向外側へ向かって円環状のフランジ部５７が一体的に突出形成（例えば一体成形）されている。このフランジ部５７は、多孔部５３がペットボトルＢの内部に挿入されたとき、開口円筒部Ｎの上端面に載置保持される。そして、雌ねじ付円筒部１の雌ねじ部２とペットボトルＢの雄ねじ部ＢＳとの螺合により、フランジ部５７は、ペットボトルＢの開口円筒部Ｎの上端面とアタッチメント５０の雌ねじ付円筒部１の下端面との間に挟み込まれて締付固定される。このように、雌ねじ付円筒部１及び開口形成円筒部４と多孔部５３（本体部３）とは別体にて分割形態に構成されているが、フランジ部５７の挟み込みによって、多孔部５３は雌ねじ付円筒部１及び開口形成円筒部４に対し一体的に形成される。
【００６３】
図３９に示すアタッチメント５０では、多孔部５３（本体部３）の上端に、本体開口部３ａから径方向外側へ向かって円環状のフランジ部５７が一体的に突出形成（例えば一体成形）され、さらに、そのフランジ部５７の中途部から上向きに立ち上がる円筒状の壁部５８が、雌ねじ付円筒部１及び開口形成円筒部４と同心的に突出形成（例えば一体成形）されている。この壁部５８は、多孔部５３をペットボトルＢの内部に挿入し、雌ねじ付円筒部１の雌ねじ部２とペットボトルＢの雄ねじ部ＢＳとを螺合する際に、開口形成円筒部４の内側に位置するので、雌ねじ付円筒部１及び開口形成円筒部４（ひいてはペットボトルＢ）に対して多孔部５３を径方向に位置決め（センタリング）する機能を有している。
【００６４】
したがって、図３８又は図３９に示すアタッチメント５０の使用態様は、多孔部５３と雌ねじ付円筒部１及び開口形成円筒部４との一体化が摩擦嵌合に代わりフランジ部５７の挟み込みによって達成される以外、実施例５（図３６，図３７参照）と同様である。なお、図３８又は図３９に示すアタッチメント５０が、実施例１に示す第一の使用態様（図６，図７参照）のように、ペットボトルＢ中に茶葉Ｔ（抽出用食品）を投入する態様で使用可能である点についても、実施例５と同様である。
【００６５】
このように、図３８又は図３９に示すアタッチメント５０では、フランジ部５７の挟み込みにより、開口形成円筒部４（雌ねじ付円筒部１）に対して別体にて分割形態に構成された多孔部５３（本体部３）を一体化可能としたので、多孔部５３の内部を洗浄する際等の取り扱い性が向上し、多孔部５３の保管・管理も容易となる。また、図３９に示すアタッチメント５０では、壁部５８により、雌ねじ付円筒部１及び開口形成円筒部４（ひいてはペットボトルＢ）に対して多孔部５３の径方向への位置決め（センタリング）が容易である。
【００６６】
（実施例６）
図４０は本発明に係る飲料ボトル用開口アタッチメントの第六例を示す正面半断面図である。図４０に示す飲料ボトル用開口アタッチメント（以下、単にアタッチメントともいう）６０は、図３８に示す本体部３を、筒状（例えば円筒状）の周壁多孔部６３１（第一分割本体部；一の分割本体部）と、その下端にてドーム状（例えば半球状）に閉塞する先端多孔部６３２（第二分割本体部；他の分割本体部）とに分割し、両多孔部６３１，６３２を同心的かつ着脱可能に連結したものである。図３８と同様に、上方に位置する周壁多孔部６３１の周壁には、多数の周壁貫通孔５３ａが形成され、下方に位置する先端多孔部６３２には、多数の先端貫通孔５３ｂが形成されている。
【００６７】
周壁多孔部６３１の下端部と先端多孔部６３２の上端部とは、その一方（例えば周壁多孔部６３１の下端部内周面）に雌ねじ部６３１ａ（第一ねじ部）、他方（例えば先端多孔部６３２の上端部外周面）に雄ねじ部６３２ａ（第二ねじ部）がそれぞれ形成され、周壁多孔部６３１と先端多孔部６３２とは両ねじ部６３１ａ，６３２ａの螺合により着脱可能に嵌合（ねじ結合）される。
【００６８】
なお、周壁多孔部６３１の下端部と先端多孔部６３２の上端部とは、ねじ結合に代わる摩擦嵌合によって連結してもよい。この場合、周壁多孔部６３１の下端部と先端多孔部６３２の上端部とのうち、一方（例えば周壁多孔部６３１側）に大径部、他方に小径部をそれぞれ形成し、これら大径部と小径部とを軸方向から嵌合・固定する。なお、小径部を径方向内側へ弾性変形させておき、嵌合したときに弾性復帰させるようにすると、両者を締まり嵌め状態で固定することができる（図４０，図２０参照）。
【００６９】
以上のように構成されたアタッチメント６０の使用態様について、図４１，図４２を参照しつつ説明する。
【００７０】
周壁多孔部６３１と先端多孔部６３２とを連結した本体部３の内部に茶葉Ｔ（抽出用食品）を投入するとともに、本体部３をペットボトルＢの内部に挿入して、フランジ部５７を開口円筒部Ｎの上端面に載置保持させる。次に、ペットボトルＢの雄ねじ部ＢＳにボトルキャップＣの雌ねじ部ＣＳを螺合して、水（又は湯）中に浸漬する（図４１参照）。このときペットボトルＢの持ち運びができる。所定時間（例えば１０〜３０分）経過後に、雄ねじ部ＢＳと雌ねじ部ＣＳとの螺合を解除して本体部３をペットボトルＢから取り外し、ペットボトルＢを傾けると、ペットボトルＢ中のお茶は、開口円筒部Ｎから流出する（図４２参照）。したがって、茶葉Ｔから抽出されたお茶が、ペットボトルＢの開口円筒部Ｎから飲用される。
【００７１】
そして、周壁多孔部６３１と先端多孔部６３２との嵌合（ねじ結合）を解き（図４０参照）、ペットボトルＢから取り外した本体部３を分離することによって、周壁多孔部６３１及び先端多孔部６３２の内部に付着する茶殻ＴＬ（残渣）を水道水で洗い流したり、洗浄ブラシで除去したりすることが容易になる（図４２参照）。
【００７２】
このように、フランジ部５７を有する本体部３と、ペットボトルＢ及びボトルキャップＣとを用いて、一層簡便にお茶を抽出することができる。また、周壁多孔部６３１と先端多孔部６３２とを分離可能としたので、周壁多孔部６３１及び先端多孔部６３２の内部に付着する茶殻ＴＬ（残渣）の除去が容易になる。なお、図３３や図３９に示すアタッチメント５０において、本体部３を周壁多孔部と先端多孔部とに分離可能とした場合にも、茶殻ＴＬ（残渣）の除去が容易になる。
【００７３】
本実施例のアタッチメント６０を用いる場合、図３６に示す態様でお茶を抽出してもよい。また、アタッチメント６０は、実施例１に示す第一の使用態様（図６，図７参照）のように、ペットボトルＢ中に茶葉Ｔ（抽出用食品）を投入する態様で使用することもできる。
【００７４】
（変形例）
図４０における本体部３の変形例を図４３に示す。図４３に示すアタッチメント６０では、雌ねじ付円筒部１、開口形成円筒部４及び周壁多孔部６３１（本体部３）は合成樹脂材料により一体成形されている。合成樹脂材料製の先端多孔部６３２（本体部３）は、雌ねじ付円筒部１及び開口形成円筒部４と一体成形された周壁多孔部６３１に対し、雌ねじ部６３１ａ（第一ねじ部）と雄ねじ部６３２ａ（第二ねじ部）とのねじ結合（又は摩擦嵌合）により着脱自在（分離可能）に連結されている。
【００７５】
以上のように構成されたアタッチメント６０の使用態様について、図４４，図４５を参照しつつ説明する。
【００７６】
周壁多孔部６３１と先端多孔部６３２とを連結することにより、開口形成円筒部４（雌ねじ付円筒部１）と一体化された本体部３の内部に茶葉Ｔ（抽出用食品）を投入するとともに、ペットボトルＢの雄ねじ部ＢＳにアタッチメント６０の雌ねじ部２を螺合して、水（又は湯）中に浸漬する（図４４参照）。このときさらに、開口形成円筒部４の雄ねじ部５にボトルキャップＣの雌ねじ部ＣＳを螺合すれば、ペットボトルＢの持ち運びができる。所定時間（例えば１０〜３０分）経過後に、雄ねじ部ＢＳと雌ねじ部２との螺合を解除してアタッチメント６０（及びボトルキャップＣ）をペットボトルＢから取り外し、ペットボトルＢを傾けると、ペットボトルＢ中のお茶は、開口円筒部Ｎから流出する（図４５参照）。したがって、茶葉Ｔから抽出されたお茶が、ペットボトルＢの開口円筒部Ｎから飲用される。
【００７７】
そして、周壁多孔部６３１と先端多孔部６３２との嵌合（ねじ結合）を解き（図４３参照）、ペットボトルＢから取り外した本体部３を分離することによって、周壁多孔部６３１及び先端多孔部６３２の内部に付着する茶殻ＴＬ（残渣）を水道水で洗い流したり、洗浄ブラシで除去したりすることが容易になる（図４５参照）。
【００７８】
このように、周壁多孔部６３１と先端多孔部６３２とを分離可能としたので、周壁多孔部６３１及び先端多孔部６３２の内部に付着する茶殻ＴＬ（残渣）の除去が容易になる。なお、アタッチメント６０は、実施例１に示す第一の使用態様（図６，図７参照）のように、ペットボトルＢ中に茶葉Ｔ（抽出用食品）を投入する態様で使用することもできる。
【００７９】
実施例２（図２１Ａ〜図２４）、実施例３（図２５〜図２９）、実施例４（図３０〜図３２）、実施例５（図３３〜図３９）、実施例６（図４０〜図４５）において実施例１（図１〜図２０）と共通する機能を有する部分にはそれぞれ同一符号を付して説明を省略する。
【００８０】
なお、以上の実施例では、本発明に係る飲料ボトル用開口アタッチメントを飲用後のペットボトルに適用する場合のみについて説明したが、本発明は飲料を充填するための未使用の飲料ボトル等にも適用できる。また、各実施例及び変形例は、技術的な矛盾を生じない範囲において、互いに組み合わせて使用することもできる。
【符号の説明】
【００８１】
１        雌ねじ付き円筒部
２        雌ねじ部
３        本体部
３ａ      本体開口部
３１      多孔部（第一分割本体部；一の分割本体部）
３１ａ    貫通孔
３１１    第一ねじ部
３１２    ろ過部
３１２ａ  ろ過孔
３２      メッシュ部（第二分割本体部；他の分割本体部）
３２１    第二ねじ部
４        開口形成円筒部
５        雄ねじ部
６        係合凸部（係合部）
１０      アタッチメント（飲料ボトル用開口アタッチメント）
２０      アタッチメント（飲料ボトル用開口アタッチメント）
２３１    第一多孔部（第一分割本体部；一の分割本体部）
２３１ａ  貫通孔
２３２    第二多孔部（第二分割本体部；他の分割本体部）
２３２ａ  貫通孔
２３３    内部収容スペース
３０      アタッチメント（飲料ボトル用開口アタッチメント）
３３      多孔部（本体部）
３３ａ    貫通孔
３４      メッシュ部（本体部）
４０      アタッチメント（飲料ボトル用開口アタッチメント）
４３      上壁部
４３ａ    貫通孔
５０      アタッチメント（飲料ボトル用開口アタッチメント）
５３      多孔部（本体部）
５３ａ    周壁貫通孔
５３ｂ    先端貫通孔
５４      係合凹部（係合部）
５５      拡径部
５６      着座部
５７      フランジ部
５８      壁部
６０      アタッチメント（飲料ボトル用開口アタッチメント）
６３１    周壁多孔部（第一分割本体部；一の分割本体部）
６３１ａ  第一ねじ部
６３２    先端多孔部（第二分割本体部；他の分割本体部）
６３２ａ  第二ねじ部
Ｂ        ペットボトル（飲料ボトル）
ＢＳ      雄ねじ部
Ｃ        ボトルキャップ
ＣＳ      雌ねじ部
Ｎ        開口円筒部
Ｓ        セラミックボール（液改質材）
Ｔ        茶葉（抽出用食品）
ＴＰ      パック茶葉（抽出用食品）
ＴＬ      茶殻、パック茶殻（残渣）
Ｗ        水（液）
ＦＮ      漏斗
ＳＰ      計量スプーン
【図１】
2011195198.tif 000003
【図２】
2011195198.tif 000004
【図３Ａ】
2011195198.tif 000005
【図３Ｂ】
2011195198.tif 000006
【図４】
2011195198.tif 000007
【図５】
2011195198.tif 000008
【図６】
2011195198.tif 000009
【図７】
2011195198.tif 000010
【図８】
2011195198.tif 000011
【図９】
2011195198.tif 000012
【図１０】
2011195198.tif 000013
【図１１】
2011195198.tif 000014
【図１２】
2011195198.tif 000015
【図１３】
2011195198.tif 000016
【図１４】
2011195198.tif 000017
【図１５】
2011195198.tif 000018
【図１６】
2011195198.tif 000019
【図１７】
2011195198.tif 000020
【図１８】
2011195198.tif 000021
【図１９】
2011195198.tif 000022
【図２０】
2011195198.tif 000023
【図２１Ａ】
2011195198.tif 000024
【図２１Ｂ】
2011195198.tif 000025
【図２２】
2011195198.tif 000026
【図２３】
2011195198.tif 000027
【図２４】
2011195198.tif 000028
【図２５】
2011195198.tif 000029
【図２６】
2011195198.tif 000030
【図２７】
2011195198.tif 000031
【図２８】
2011195198.tif 000032
【図２９】
2011195198.tif 000033
【図３０】
2011195198.tif 000034
【図３１】
2011195198.tif 000035
【図３２】
2011195198.tif 000036
【図３３】
2011195198.tif 000037
【図３４】
2011195198.tif 000038
【図３５】
2011195198.tif 000039
【図３６】
2011195198.tif 000040
【図３７】
2011195198.tif 000041
【図３８】
2011195198.tif 000042
【図３９】
2011195198.tif 000043
【図４０】
2011195198.tif 000044
【図４１】
2011195198.tif 000045
【図４２】
2011195198.tif 000046
【図４３】
2011195198.tif 000047
【図４４】
2011195198.tif 000048
【図４５】
2011195198.tif 000049